(57)【要約】      （修正有）【課題】拡大したい部分のみを、光を漏らさずに照明することが出来る照明装置を提供する。【解決手段】遮光フード１１とLED光源およびレンズの３つで構成された照明装置である。遮光フード１１内部には、レンズとLED光源が配置されている。遮光フード１１は、光が外に漏らさないためのもので、LED光源は、暗い場所で使う時の照明である。レンズは細かな文字を拡大し表示させる為のものである。【選択図】図１
2018031838.tif 000002
【特許請求の範囲】
【請求項１】
遮光フードによって、LED光源の光を外に漏らさない構造としていることを特徴とする照明付きルーペ。
【請求項２】
レンズの開口形状を、矩形にすることを特徴とする照明付きルーペ。
【請求項３】
遮光フード内側のレンズより下側部は、LEDの光が散乱し、照明領域全体を均一に照明するために、梨地加工を施すことを特徴とする請求項１に記載の照明付きルーペ。
【請求項４】
照明領域を均一に照明するために、LEDの配置および開口の矩形形状を最適化していることを特徴とする請求項２に記載の照明付きルーペ。
【請求項５】
遮光フードの端面から奥に入った位置にレンズを配置し、レンズの破損防止構造としていることを特徴とする照明付きルーペ。
【請求項６】
レンズが遮光フードの奥に配置されることで、遮光フード内側のレンズより上部に光吸収加工を施すことを特徴とする請求項１に記載の照明付きルーペ。
【発明の詳細な説明】
【技術分野】
【０００１】
本発明は、照明付き拡大鏡に関する。
【背景技術】
【０００２】
一般的に、年齢が40歳を過ぎる頃から老化により、本や新聞などの小さく細かい字が読み難くなってくる。いわゆる老眼である。一般的には虫眼鏡などの拡大鏡を使って、文字を拡大して読むことが必要となってくる。
現在、市販されている拡大鏡は、一般的に、丸く大きく、重く、片方の手で丁度良い拡大サイズの高さに自分で調整し支える必要があるので不便である。暗い場所で読みたいケースが多々生じるが、照明付きの拡大鏡も少なく、照明が付いていても光が外に漏れてしまうので、夜行バスなどでは近接する隣の人への迷惑となる。この様な公共の場で利用出来る商品が、現在市場には存在していない。
【先行技術文献】
【特許文献】
【０００３】
【特許文献１】特開2004-163524
【特許文献２】特表2005-532577
【発明の概要】
【発明が解決しようとする課題】
【０００４】
現在市販されている拡大鏡は、時間のある休日に新聞を広げるスペースのある自宅での利用を、想定して作られていると考えられる。その為、（１）重く、（２）大きく、（３）片手で拡大鏡の高さの調整が必要で、（４）照明付きのものもほとんど存在していない。照明付きの物は、明るくしたい部分以外にも（５）光が漏れるため、周りの人がまぶしく、迷惑になるものがほとんどである。この為、公共の夜行バスなどで、隣の人との近接しているような状況下での利用はできない商品となっている。本特許においては、問題を解決する光学技術と使い方に基づいた構造の考案によって、これらの問題を解決する商品を提供するものである。
【０００５】
現在市販されている拡大鏡の多くは、拡大する領域を広く取ろうとした場合には、単レンズ構造なので、レンズの厚みが厚くなるため重くなり、携帯にはそぐわないものとなっている。この為、軽量化が課題である。
【０００６】
現在市販されている拡大鏡は、丸いレンズが多いためその分大型になってしまう。さらに文章の並び方を考えると、丸いレンズでは、文章が読み難いと言う問題もある。従って、文章が読みやすくなるレンズ形状への変更が、課題である。
【０００７】
現在市販されている拡大鏡の多くは、片手で拡大サイズを最適な高さに調整しながら、文章を読むことが必である。その為、片方の手が疲れ長時間文章を読むことができない問題がある。この為、手の支えを必要なくすことで、長時間文章を読むことが出来る構造にすると言う課題がある。
【０００８】
現在市販されている拡大鏡には、照明付きのものがほとんどない。照明があっても照明したい部分以外に、光が漏れ夜行バスなど隣の人との距離が近い場合には、隣の人へ光が漏れてしまいまぶしい為、使用することができない。この為、照明は必要であるが、自分以外に光が漏れない構造にする課題がある。
【０００９】
本発明は、従来の拡大鏡の問題点のほとんどを解決した機能を持つことで、携帯性にも優れ、長時間の文章を読んでも疲れず、公共の狭く暗い空間でも隣人にまぶしさを感じさせない商品を提供するものである。年齢が40歳以降ほとんどの人が、老化による老眼と付き合いながら生きていくことを考えると、晩年の生活がかなり楽に変えることができる便利な商品と言える。
【課題を解決するための手段】
【００１０】
単レンズの構造の場合、拡大する領域が大きくなると、レンズの厚みが厚くなり、重くなる問題が生じてしまう。この為、単レンズ構造からフレネルレンズ構造にすることで、レンズ厚みを1/10〜1/100くらいまで薄くすることができる。
【００１１】
丸いレンズのまま、拡大する領域が大きくなると、レンズ自体が大きくなり携帯するには不向きとなってしまう。この為、文章の並びを考えた矩形のレンズ形状にすることで、拡大しても文章は読みやすく、コンパクトにできることを特徴とする。
【００１２】
市販の拡大鏡の多くは、支えが無い為、片方の手で高さを調節しながら読むと言う操作が必要で、長時間文章を読むのに適さない構造となっている。これを改善するために、最適な高さを指示できるガイドを設けることで、ハンズフリーとなり、長時間文章を読んでも疲れない構造とする事を特徴とする。
【００１３】
拡大鏡は、暗い場所で使うケースが頻繁に生じる。この為、拡大鏡に照明は必須アイテムと考えられる。しかし、市販されている拡大鏡の多くは照明装置を持たない。照明装置をもっていても光が漏れてしまうので、夜行バスなどの隣の人との距離が近い場合には、隣の人がまぶしく迷惑となっている。この問題を解決するために、外に光が漏れない高さを指示する支えと共用できるフードを設けることで、本拡大鏡を使用する人だけが、明るく拡大された文章が読める事を特徴とする。
【発明の効果】
【００１４】
本発明は、携帯性に優れ、ハンズフリーで使用でき、照明装置が付いていることで、暗いところでも使え、光が漏れないことで、公共の狭い場所でも場所を選ばずに使用することができる。人生の半分の老眼生活の利便性を高めることができる唯一の商品として提供できる。
【図面の簡単な説明】
【００１５】
【図１】本発明の使用状態を示す図である。この図１は、老眼の人にとってただでさえ読みにくい小さい文字が書かれてある書類１２を、本発明のスマートライトルーペ１１を使うことによって、暗い場所でも明るく拡大した文字１０として読めることを、イメージした図である。さらに照明光が外に漏れないことで、近隣の人の迷惑にならないことも同時に示した図である。
【図２】本発明の基本的な製品構成を、示した図である。この図2は、拡大鏡の心臓部であるレンズ１４の下側にサイドビュータイプのLED１３を配置し、LEDの光を外に漏らすことのない様に、遮光フード１５を組み込んだ構成と外観が分かる製品全体の斜図である。本製品は、開口形状を文章の並びに合わせ薄型の矩形にすることで、市販の拡大鏡の丸型と比較すると格段にコンパクト化されていることが分かる。
【図３】本発明の下面図である。LEDの位置関係と、サイドビュータイプのLEDによって、開口領域を狭くすることのない構造となっている。
【図４】本発明の短辺方向の側面図である。図４は、薄型になっているのが分かる図となっている。
【図５】本発明の長辺方向の側面図である。文章に合わせ、できるだけ一度に文章全体が読める様に、幅広の構造としている。
【図６】本発明のLEDの電源である単三電池を内蔵した透し図である。薄型でコンパクト性を損なわない配置を考えた。電池種類の選定は、本製品サイズのコンパクト性に合わせた最大容量で、どこでも手に入りやすい種類として単三電池を選定している。
【発明を実施するための形態】
【００１６】
従来の市販品は、広い領域を拡大する場合、丸形の拡大鏡が多い為、大型になり、携帯するにはそぐわない。丸形は、書類などの文章の並びにもあっていないので、その形状は適していない。また、市販の拡大鏡は、照明付きのものがほとんどなく、照明があっても光が漏れてしまうので、夜行バスなどで使用する場合、隣の人がまぶしく迷惑がかかるなどの問題が、従来品にはあった。
これらの問題を解決するため、本発明では、照明したい部分だけを照明し、それ以外の部分へは、光を漏らさない構造にすること。文章の並びに合わせた矩形薄型レンズ形状にして、携帯性に優れたコンパクト性を向上させることを、特徴とする。その為の実施形態である。
【００１７】
本発明の形態は、図２に示す様に、遮光フード１５によって光が外に漏れない構造となっている。
【００１８】
本発明の形態は、図２に示す様に、遮光フード１５の開口サイズ全てが拡大領域になるので、開口部の妨げにならない様に、LED１３の様なサイドビュータイプの光源を配置する必要がある。
【００１９】
焦点距離が短いレンズは、レンズの厚みが厚くなるので、フレネルレンズにして軽量化を行った。必然的に材料コストも抑えられる。
【００２０】
本発明では、開口サイズが拡大領域になり、レンズ形状も決まるので、開口形状を矩形にして、一度に読める文章量を大くしながら、薄型でコンパクト性を高めた図２の様な形状を基本としている。
【００２１】
本発明では、照明する領域全体に均一にLEDの光を照射したいことから、遮光フードの内側レンズより下の部分は、光良く拡散するように、表面をざらざらにした梨地加工を施す。
【００２２】
さらに、遮光フードの内側のレンズより上においては、光が吸収するような加工を施す。これによって、遮光フードの内側に当たって目に飛び込んでくる光が抑えられ、鮮明な文字が読める。また、隣の人への光の漏れも抑えられる。
【００２３】
図２に示す様に、レンズの位置を遮光フードの奥に入れている。この構造は、レンズを保護する事を、役割としている。
【００２４】
本発明は、携帯することを前提としているため、LEDなどの光源を駆動するための電源が必要である。
【実施例】
【００２５】
図１は、本発明のスマートライトルーペを使ってできるイメージ図である。暗い場所で、拡大したい領域だけを照明し、光を外に漏らさないことを示している。本発明の構造を図２に示す。遮光フード１５の内側に、LED１３とフレネルレンズ１４を組み込んだ簡単な構造となっている。
【００２６】
遮光フードの材質は、特に指定はないが、遮光フード内側レンズ下部に関して、可視光が透過および吸収しない材料であることが望ましい。この場合アルミニウムなどの梨地表面加工が適している。
【００２７】
遮光フード内側レンズ上部に関して、可視光が透過および反射しない材料であることが望ましい。この場合アルミニウムの黒アルマイト表面加工が適している。
【００２８】
拡大領域は、開口サイズで決まり、基本構造としては、図２の様な形状を考えているが、レンズの下側に行くほどラッパ上に広がりを持つ形状でも構わない。あるいは、ワンタッチで開く構造とすることも考えられる。その場合、視点をずらすことによって、より広いサイズの領域を見ることができる商品とできる。開口形状に関しては、他にも取り得る形状がさまざまある。単行本、新書本、文庫本などサイズを変えたラインナップも考えられる。
【００２９】
拡大倍率が3倍程度の単レンズタイプの拡大鏡では、レンズの厚みが厚く大変重い。その為、矩形のフレネルレンズにする事で、軽量かつ、コンパクト性を、向上させている。レンズの材質は、特に指定はないが、レンズの高い屈折率と量産性を考えると、ポリカーボネートが適している。
【００３０】
本発明は、携帯性の向上が前提であるので、LEDを駆動するための電源も組み込む必要がある。本体サイズにフィットし、最大の容量が取れ、どこでも手に入る単三電池を選定した。1日1時間点灯したとして、本仕様で11日駆動可能である。
【産業上の利用可能性】
【００３１】
本発明は、従来拡大鏡の問題点である重い、大型、高さの指示が無い為疲れる、照明が無い、照明が漏れて迷惑になるなどを、全て本発明品1つで解決している。また、人生の半分が老眼であることを考えると、コンパクトでデザイン性にも優れた本発明品の需要は、大きいと考えられる。
【符号の説明】
【００３２】
１０・・・・・・・・・・・・・照明、拡大された表示領域
１１、１５、１８・・・・・・・遮光フード
１２・・・・・・・・・・・・・・書類
１３、１６・・・・・・・・・・・LEDなどの光源
１４、１７・・・・・・・・・・・フレネルレンズ
１９・・・・・・・・・・・・・・単三電池
【図１】
2018031838.tif 000003
【図２】
2018031838.tif 000004
【図３】
2018031838.tif 000005
【図４】
2018031838.tif 000006
【図５】
2018031838.tif 000007
【図６】
2018031838.tif 000008